(57)【要約】    【課題】印刷物の不正印刷を防止するための印刷システムを提供する。    【解決手段】印刷装置１００は、ＲＦタグ制御部２００により、原稿に埋め込まれたＲＦタグ３００からコピー許可情報４１０を読み取り、読み取ったコピー許可情報４１０からコピー禁止フラグ４１３を取り出し、コピー禁止フラグ４１３に基づいてスキャンした原稿のコピーが禁止されているか否かを判別する。【選択図】      図６
2006340109.tif 000002
【特許請求の範囲】
【請求項１】
印刷物から画像データを読み取る読み取り手段と、前記読み取った画像データに基づいて印刷を行う印刷手段とを備える印刷装置において、
前記印刷物はコピー許可情報を有し、
前記印刷物からコピー許可情報を取得するコピー許可情報取得手段と、
前記取得したコピー許可情報に基づいて前記印刷物のコピーが禁止されているか否かを判別する判別手段とを備えることを特徴とする印刷装置。
【請求項２】
前記印刷物は、前記コピー許可情報を記憶したＲＦタグを備えることを特徴とする請求項１記載の印刷装置。
【請求項３】
前記印刷手段は、前記印刷物のコピーが禁止されているときは、前記印刷を行わないことを特徴とする請求項１又は２記載の記載の印刷装置。
【請求項４】
前記印刷手段は、前記印刷物のコピーが禁止されているときは、前記印刷を制限された範囲で行うことを特徴とする請求項１又は２記載の記載の印刷装置。
【請求項５】
前記印刷物のコピー許可情報を更新する更新手段を備えることを特徴とする請求項１乃至４のいずれか１項に記載の印刷装置。
【請求項６】
用紙にコピー許可情報を付加する付加手段を備え、前記印刷手段は、前記印刷物のコピーが禁止されていないときは、前記コピー許可情報が付加された用紙に印刷を行うことを特徴とする請求項１乃至５のいずれか１項に記載の印刷装置。
【請求項７】
前記付加手段は、前記用紙のコピーを禁止するコピー許可情報を前記用紙に付加することを特徴とする請求項６記載の印刷装置。
【請求項８】
前記付加手段は、前記印刷物のコピー許可情報を前記用紙に移譲することを特徴とする請求項６記載の印刷装置。
【請求項９】
前記コピー許可情報は、コピー可能部数とコピー済み部数とを含み、前記判別手段は、前記コピー済み部数が前記コピー可能部数に達したときは、前記印刷物のコピーを禁止することを特徴とする請求項１乃至８のいずれか１項に記載の印刷装置。
【請求項１０】
前記コピー許可情報は、コピー可能期間を含み、前記判別手段は、コピー可能期間が経過したときは、前記印刷物のコピーを禁止することを特徴とする請求項１乃至８のいずれか１項に記載の印刷装置。
【請求項１１】
印刷物から画像データを読み取り、前記読み取った画像データに基づいて印刷を行う印刷装置の印刷方法において、
前記印刷物はコピー許可情報を有し、
前記印刷物からコピー許可情報を取得するコピー許可情報取得ステップと、
前記取得したコピー許可情報に基づいて前記印刷物のコピーが禁止されているか否かを判別する判別ステップとを備えることを特徴とする印刷方法。
【請求項１２】
印刷物から画像データを読み取り、前記読み取った画像データに基づいて印刷を行う印刷装置で実行されるプログラムにおいて、
前記印刷物はコピー許可情報を有し、
前記印刷物からコピー許可情報を取得するコピー許可情報取得モジュールと、
前記取得したコピー許可情報に基づいて前記印刷物のコピーが禁止されているか否かを判別する判別モジュールとを備えることを特徴とするプログラム。
【請求項１３】
請求項１２記載のプログラムを記憶したことを特徴とするコンピュータ読み取り可能な記憶媒体。
【発明の詳細な説明】
【技術分野】
【０００１】
本発明は、印刷装置及びその方法、並びにプログラム及び記憶媒体に関し、特に、ＲＦタグ付き印刷用紙を用いた印刷装置及びその方法、並びにプログラム及び記憶媒体に関する。
【背景技術】
【０００２】
従来の印刷装置は、電子出版物等の電子情報を紙に印刷することができる。この印刷装置において、電子情報を無制限に印刷されることを防止するために、電子情報に印刷可能回数を付加し、当該電子情報の印刷可能回数を超える印刷を無効にする技術が知られている（例えば、特許文献１参照）。
【０００３】
一方、デジタルデータを記録できるＲＦタグを印刷用紙に埋め込む技術が開示されている（例えば、特許文献３参照）。この技術によれば、例えば、プログラムを記憶したＲＦタグが埋め込まれた印刷用紙に、そのプログラムのマニュアルを印刷することにより、マニュアルとプログラムを一緒に配布することができる。
【特許文献１】特開２００１−１８４１８４号公報
【特許文献２】特開２００２−３３７４２６号公報
【発明の開示】
【発明が解決しようとする課題】
【０００４】
しかしながら、上記特許文献１記載の技術では、電子情報が一旦紙に印刷されてしまえば、紙に印刷された印刷物のコピーを制限することができない。また、電子出版物の印刷を制限することはできるが、紙に印刷された出版物のコピーを制限することはできない。
【０００５】
また、特許文献２記載の技術では、ＲＦタグを印刷用紙に埋め込むことはできるが、ＲＦタグが埋め込まれた印刷用紙に印刷された印刷物のコピーを制限することはできない。
【０００６】
本発明の目的は、印刷物のコピーを制限することができる印刷装置及びその方法、並びにプログラム及び記憶媒体を提供することにある。
【課題を解決するための手段】
【０００７】
上記目的を達成するために、請求項１記載の印刷装置は、印刷物から画像データを読み取る読み取り手段と、前記読み取った画像データに基づいて印刷を行う印刷手段とを備える印刷装置において、前記印刷物はコピー許可情報を有し、前記印刷物からコピー許可情報を取得するコピー許可情報取得手段と、前記取得したコピー許可情報に基づいて前記印刷物のコピーが禁止されているか否かを判別する判別手段とを備えることを特徴とする。
【０００８】
請求項１１記載の印刷方法は、印刷物から画像データを読み取り、前記読み取った画像データに基づいて印刷を行う印刷装置の印刷方法において、前記印刷物はコピー許可情報を有し、前記印刷物からコピー許可情報を取得するコピー許可情報取得ステップと、前記取得したコピー許可情報に基づいて前記印刷物のコピーが禁止されているか否かを判別する判別ステップとを備えることを特徴とする。
【０００９】
請求項１２記載のプログラムは、印刷物から画像データを読み取り、前記読み取った画像データに基づいて印刷を行う印刷装置で実行されるプログラムにおいて、前記印刷物はコピー許可情報を有し、前記印刷物からコピー許可情報を取得するコピー許可情報取得モジュールと、前記取得したコピー許可情報に基づいて前記印刷物のコピーが禁止されているか否かを判別する判別モジュールとを備えることを特徴とする。
【００１０】
請求項１３記載のコンピュータ読み取り可能な記憶媒体は、請求項２１記載のプログラムを記憶したことを特徴とする。
【発明の効果】
【００１１】
本発明によれば、印刷物からコピー許可情報を取得し、取得したコピー許可情報に基づいて印刷物のコピーが禁止されているか否かを判別するので、印刷物のコピーを制限することができる。
【発明を実施するための最良の形態】
【００１２】
以下、本発明の実施の形態を図面を参照しながら詳細に説明する。
【００１３】
図１は、本発明の実施の形態に係る印刷装置の構成を示すブロック図である。
【００１４】
図１において、本発明の実施の形態に係る印刷装置１００は、コピー機能、プリンタ機能、スキャナ機能、及びファクシミリ通信機能等を備えた多機能印刷装置である。
【００１５】
印刷装置１００は、印刷装置１００全体の制御を司るコントローラ部１０１を備える。また、印刷装置１００は、操作部１０６、表示部１０７、回線制御部１０８、スキャナ１０９、プリンタ１１０、外部記憶媒体１１１、ＬＡＮ制御部１１２、及び後述する図２のＲＦタグ制御部２００を備え、これらはコントローラ部１０１に接続されている。
【００１６】
コントローラ部１０１は、ＣＰＵ１０２、ＲＯＭ１０３、ＲＡＭ１０４、及びタイマ１０５を備える。ＣＰＵ１０２が実行する各種プログラムや、プログラムが必要とするデータ等は、予めＲＯＭ１０３に記憶されている。また、一部のプログラムやデータは、外部記憶媒体１１１に予め格納しておき、ＲＡＭ１０４に読み出して実行することも可能である。
【００１７】
操作部１０６及び表示部１０７は、後述する図１０の操作部パネル１０００により構成される。操作部パネル１０００は、コピー部数の入力等に使用されるテンキー１００１と、タッチパネルの機能を有するＬＣＤパネル１００２とを備える。ＬＣＤパネル１００２は、コピー部数などの情報や、処理の進行状況等の各種メッセージを表示する。また、タッチパネルの機能を有するＬＣＤパネル１００２を押下することにより、操作部１０６の一部として機能させることもできる。
【００１８】
回線制御部１０８は、電話回線等の公衆網３を介して、通話や、他のファクシミリ装置４とファクシミリ送受信を行う。また、回線制御部１０８は、スキャナ１０９で読み取った画像データをファクシミリ送信用のデータ形式に符号化すると共に、ファクシミリ受信したデータを複合化する符号化／複合化器、モデム、及びＮＣＵ等を備える。
【００１９】
スキャナ１０９は、コピーやファクシミリ送信を行うときに原稿から画像データを読み取る。プリンタ１１０は、スキャナ１０９で読み取った画像データに基づいて印刷することによりコピー機能を実現すると共に、回線制御部１０８によりファクシミリ装置４から受信した画像データや、ＬＡＮ制御部１１２によりコンピュータ２から受信した印刷データに基づいて印刷する。
【００２０】
外部記憶媒体１１１は、ＣＰＵ１０２が実行するプログラムや、スキャナ１０９で読み取った画像データを記憶する。ＬＡＮ制御部１１２は、ネットワーク１を介して、他のファクシミリ装置や、ホストコンピュータ２と通信を行う。
【００２１】
図２は、図１におけるＲＦタグ制御部２００の構成を示すブロック図である。
【００２２】
図２において、ＲＦタグ制御部２００は、コントローラ部２０１、送受信部２０２、及びアンテナ２０３を備える。
【００２３】
コントローラ部２０１は、ＲＦタグ制御部２００全体の制御を司る。送受信部２０２は、アンテナ部２０３を介して、後述する図３のＲＦタグ３００と無線通信により情報の送受信を行う。
【００２４】
図３は、図２のＲＦタグ制御部２００により制御されるＲＦタグ３００の構成を示すブロック図である。
【００２５】
図３において、ＲＦタグ３００は、メモリ３０１、送受信部３０２、及びアンテナ３０３を備える。送受信部３０２は、アンテナ部３０３を介して、ＲＦタグ制御部２００と無線通信により情報の送受信を行う。メモリ３０１は、後述する図４のコピー許可情報４１０を格納する。ＲＦタグ３００は、図４に示すように、ＲＦタグ付き印刷用紙４００に埋め込まれている。
【００２６】
図４は、図３のＲＦタグ３００が埋め込まれたＲＦタグ付き印刷用紙４００の構成を示す図である。
【００２７】
図４において、ＲＦタグ３００のメモリ３０１には、コピー許可情報４１０が格納されている。コピー許可情報４１０は、このＲＦタグ３００が埋め込まれたＲＦタグ付き印刷用紙４００に印刷された原稿のコピー許可総部数４１１と、この原稿が既にコピーされた部数を示すコピー済み部数４１２、この原稿のコピーの可否を示すコピー禁止フラグ４１３の各情報を含む。コピー禁止フラグ４１３は、コピーが許可されているときはオフに、コピーが禁止されているときはオンに設定されている。
【００２８】
印刷装置１００は、ＲＦタグ制御部２００により、ＲＦタグ付き印刷用紙４００に埋め込まれたＲＦタグ３００にコピー許可情報４１０を書き込むことにより、ＲＦタグ付き印刷用紙４００にコピー許可情報４１０を付加する。
【００２９】
また、印刷装置１００は、ＲＦタグ制御部２００により、ＲＦタグ付き印刷用紙４００に付加されたコピー許可情報４１０を読み取り、この読み取ったコピー許可情報４１０に基づいて、コピーの許可及び禁止を行う。
【００３０】
図５は、図１の印刷装置１００のＣＰＵ１０２によって実行されるコピー許可情報付加処理の手順を示すフローチャートである。
【００３１】
本処理は、印刷装置１００がネットワーク１を介してコンピュータ２から印刷データを受信し、受信した印刷データに基づいて印刷するときに、印刷物にコピー許可情報４１０を付加する処理である。
【００３２】
図５において、ＬＡＮ制御部１１２によりネットワーク１を介してコンピュータ２から印刷データを受信し（ステップＳ５０１）、受信した印刷データにコピー許可情報４１０が含まれているか否かを判別する（ステップＳ５０２）。
【００３３】
ステップＳ５０２の判別の結果、受信した印刷データにコピー許可情報４１０が含まれているときは、印刷する用紙としてＲＦタグ付き印刷用紙４００を選択し（ステップＳ５０３）、ＲＦタグ制御部２００により、ＲＦタグ付き印刷用紙４００に埋め込まれたＲＦタグ３００にステップＳ５０１で受信した印刷データに含まれるコピー許可情報４１０を書き込む（ステップＳ５０４）。次に、プリンタ１１０により、ステップＳ５０１で受信した印刷データに基づいてＲＦタグ付き印刷用紙４００に印刷し（ステップＳ５０６）、本処理を終了する。
【００３４】
ステップＳ５０２の判別の結果、受信した印刷データにコピー許可情報４１０が含まれていないときは、印刷する用紙として普通用紙を選択し（ステップＳ５０５）、プリンタ１１０により、ステップＳ５０１で受信した印刷データに基づいて普通用紙に印刷し（ステップＳ５０６）、本処理を終了する。
【００３５】
図５の処理によれば、ＲＦタグ制御部２００により、ＲＦタグ付き印刷用紙４００に埋め込まれたＲＦタグ３００にステップＳ５０１で受信した印刷データに含まれるコピー許可情報４１０を書き込み（ステップＳ５０４）、プリンタ１１０により、ステップＳ５０１で受信した印刷データに基づいてＲＦタグ付き印刷用紙４００に印刷する（ステップＳ５０６）ので、印刷物にコピー許可情報を付加することができる。
【００３６】
図６は、図１の印刷装置１００のＣＰＵ１０２によって実行されるコピー処理の手順を示すフローチャートである。
【００３７】
本処理は、コピー許可情報４１０が付加された原稿をコピーする処理である。
【００３８】
図６において、印刷装置１００は、スキャナ１０９により原稿をスキャンして原稿から画像データを読み取り（読み取り手段）（ステップＳ６０１）、スキャンした原稿にＲＦタグ３００が埋め込まれているか否かを判別し（ステップＳ６０２）、スキャンした原稿にＲＦタグ３００が埋め込まれているときは、ＲＦタグ制御部２００により、原稿に埋め込まれたＲＦタグ３００からコピー許可情報４１０を読み取る（コピー許可情報取得手段）（ステップＳ６０３）。
【００３９】
次に、読み取ったコピー許可情報４１０からコピー禁止フラグ４１３を取り出し、コピー禁止フラグ４１３に基づいてスキャンした原稿のコピーが禁止されているか否かを判別し（判別手段）（ステップＳ６０４）、スキャンした原稿のコピーが禁止されていないときは、操作部１０６によりユーザが入力したコピー部数を取得する（ステップＳ６０５）。コピー部数は、図１０に示すコピー部数入力画面１００３で入力される。
【００４０】
図１０において、ＬＣＤパネル１００２には、コピー許可総部数と、コピー済み部数と、コピー可能部数と、コピー部数とを含むコピー部数入力画面１００３が表示されている。コピー許可総部数、及びコピー済み部数は、ステップＳ６０３で読み取ったコピー許可情報４１０のコピー許可総部数４１１、及びコピー済み部数４１２に基づいて表示される。コピー可能部数は、コピー許可総部数からコピー済み部数を引いた残りの部数である。コピー部数は、ユーザによりテンキー１００１を用いて入力される。
【００４１】
図６に戻り、入力されたコピー部数がコピー可能部数を超えていないか否かを判別し（ステップＳ６０６）、入力されたコピー部数がコピー可能部数を超えていないときは、印刷する用紙としてＲＦタグ付き印刷用紙４００を選択し（ステップＳ６０８）、ＲＦタグ制御部２００により、ＲＦタグ付き印刷用紙４００に埋め込まれたＲＦタグ３００のコピー禁止フラグ４１３をオンに設定してコピー許可情報４１０を書き込み（付加手段）（ステップＳ６０９）、プリンタ１１０により、原稿から読み取った画像データに基づいてＲＦタグ付き印刷用紙４００に印刷する（印刷手段）（ステップＳ６１０）。
【００４２】
次に、ＲＦタグ制御部２００により、原稿のＲＦタグ３００のコピー済み部数４１２を更新し（更新手段）（ステップＳ６１１）、コピー済み部数４１２がコピー許可総部数４１１に達したか否かを判別し（ステップＳ６１２）、コピー済み部数４１２がコピー許可総部数４１１に達していないときは、直ちに本処理を終了する一方、コピー済み部数４１２がコピー許可総部数４１１に達したときは、ＲＦタグ制御部２００により、原稿のＲＦタグ３００のコピー禁止フラグ４１３をオンに設定し（ステップＳ６１３）、本処理を終了する。
【００４３】
ステップＳ６０２の判別の結果、スキャンした原稿にＲＦタグ３００が埋め込まれていないときは、印刷する用紙として普通用紙を選択し（ステップＳ６１４）、プリンタ１１０により、原稿から読み取った画像データに基づいて普通用紙に印刷し（ステップＳ６１５）、本処理を終了する。
【００４４】
ステップＳ６０４の判別の結果、スキャンした原稿のコピーが禁止されているときは、図１１に示す警告メッセージ１１０１をＬＣＤパネル１００２に表示し（ステップＳ６１６）、本処理を終了する。図１１において、ＬＣＤパネル１００２には、スキャンした原稿のコピーが禁止されている旨をユーザに知らせる警告メッセージ１１０１が表示されている。ユーザにより「確認」が押下されると、警告メッセージ１１０１の表示を終了する。
【００４５】
ステップＳ６０６の判別の結果、入力されたコピー部数がコピー可能部数を超えているときは、図１２に示す警告メッセージ１２０１をＬＣＤパネル１００２に表示し（ステップＳ６０７）、ステップＳ６０５に戻る。図１２において、ＬＣＤパネル１００２には、入力されたコピー部数がコピー可能部数を超えている旨をユーザに知らせる警告メッセージ１２０１が表示されている。ユーザにより「確認」が押下されると、警告メッセージ１２０１の表示を終了する。
【００４６】
なお、スキャンした原稿にＲＦタグ３００が埋め込まれていないときは（ステップＳ６０２でＮＯ）、印刷する用紙として普通用紙を選択し（ステップＳ６１４）、プリンタ１１０により、原稿から読み取った画像データに基づいて普通用紙に印刷する（ステップＳ６１５）としたが、スキャンした原稿にＲＦタグ３００が埋め込まれていないときに、コピーを禁止することにより、ＲＦタグ３００が埋め込まれた原稿のみコピーするようにしてもよい。
【００４７】
また、コピー許可情報４１０はコピー許可総部数４１１及びコピー済み部数４１２を含み、コピー済み部数４１２がコピー許可総部数４１１に達したときは（ステップＳ６１２でＹＥＳ）、ＲＦタグ制御部２００により、原稿のＲＦタグ３００のコピー禁止フラグ４１３をオンに設定する（ステップＳ６１３）としたが、コピー許可情報４１０にコピー可能期間を含み、コピー可能期間が経過したときに、ＲＦタグ制御部２００により、コピー禁止フラグ４１３をオンに設定するようにしてもよい。
【００４８】
図６の処理によれば、ＲＦタグ制御部２００により、原稿に埋め込まれたＲＦタグ３００からコピー許可情報４１０を読み取り（ステップＳ６０３）、読み取ったコピー許可情報４１０からコピー禁止フラグ４１３を取り出し、コピー禁止フラグ４１３に基づいてスキャンした原稿のコピーが禁止されているか否かを判別する（ステップＳ６０４）ので、印刷物のコピーを制限することができる。
【００４９】
図７は、図６のコピー処理の変形例の手順を示すフローチャートである。
【００５０】
図７の処理は、ステップＳ６１６の処理に代えてステップＳ７０１〜Ｓ７０４の処理を実行する点でのみ、図６処理と異なる。
【００５１】
本処理は、カラー原稿のコピーが禁止されているときに、白黒コピーを行う処理である。
【００５２】
図７において、ステップＳ６０４で、コピー許可情報４１０からコピー禁止フラグ４１３を取り出し、コピー禁止フラグ４１３に基づいてスキャンした原稿のコピーが禁止されているか否かを判別し、スキャンした原稿のコピーが禁止されているときは、図１３に示す警告メッセージ１３０１をＬＣＤパネル１００２に表示する（ステップＳ７０１）。図１３において、カラーコピーが禁止されている旨をユーザに知らせると共に、白黒コピーを行うか又はコピーをキャンセルするかの指示を促す警告メッセージ１３０１が表示されている。白黒コピーを行うか又はコピーをキャンセルするかの指示は、ユーザにより「はい」又は「いいえ」を押下することにより入力される。
【００５３】
次に、ユーザが入力した白黒コピーを行うか又はコピーをキャンセルするかの指示を取得し（ステップＳ７０２）、取得した指示に基づいてコピーがキャンセルされたか否かを判別し（ステップＳ７０３）、コピーがキャンセルされたときは、本処理を終了する。
ステップＳ７０３の判別の結果、コピーがキャンセルされていないときは、ステップＳ６０１で読み取られたカラー画像データを白黒画像データに変換し（ステップＳ７０４）、ステップＳ６０５に進む。
【００５４】
図７の処理によれば、スキャンした原稿のコピーが禁止されているときは（ステップＳ６０４でＹＥＳ）、カラーコピーが禁止されている旨をユーザに知らせると共に、白黒コピーを行うか又はコピーをキャンセルするかの指示を促す警告メッセージ１３０１をＬＣＤパネル１００２に表示する（ステップＳ７０１）ので、ユーザの利便性も保ちつつ、印刷物のコピーを制限することができる。
【００５５】
図８は、図６のコピー処理の他の変形例の手順を示すフローチャートである。
【００５６】
図８の処理は、ステップＳ６０５〜Ｓ６０９の処理に代えてステップＳ８０１〜Ｓ８０５の処理を実行する点でのみ、図６処理と異なる。
【００５７】
本処理は、原稿のコピー許可情報を印刷する用紙に移譲する処理である。
【００５８】
図８において、読み取ったコピー許可情報４１０からコピー禁止フラグ４１３を取り出し、コピー禁止フラグ４１３に基づいてスキャンした原稿のコピーが禁止されているか否かを判別し（ステップＳ６０４）、スキャンした原稿のコピーが禁止されていないときは、操作部１０６によりユーザが入力した移譲コピー部数を取得する（ステップＳ８０１）。移譲コピー部数は、図１４に示す移譲コピー部数入力画面１４０１で入力される。
【００５９】
図１４において、ＬＣＤパネル１００２には、コピー許可総部数と、コピー済み部数と、コピー可能部数と、移譲コピー部数とを含む移譲コピー部数入力画面１４０１が表示されている。コピー許可総部数、及びコピー済み部数は、ステップＳ６０３で読み取ったコピー許可情報４１０のコピー許可総部数４１１、及びコピー済み部数４１２に基づいて表示される。コピー可能部数は、コピー許可総部数からコピー済み部数を引いた残りの部数である。移譲コピー部数は、ユーザによりテンキー１００１を用いて入力される。
【００６０】
図８に戻り、入力された移譲コピー部数がコピー可能部数を超えていないか否かを判別し（ステップＳ８０２）、入力された移譲コピー部数がコピー可能部数を超えていないときは、印刷する用紙としてＲＦタグ付き印刷用紙４００を選択し（ステップＳ８０４）、ＲＦタグ制御部２００により、ＲＦタグ付き印刷用紙４００に埋め込まれたＲＦタグ３００にコピー許可総部数４１１に移譲コピー部数を設定してコピー許可情報４１０を書き込み（ステップＳ８０５）、プリンタ１１０により、原稿から読み取った画像データに基づいてＲＦタグ付き印刷用紙４００に印刷する（ステップＳ６１０）。
【００６１】
ステップＳ８０２の判別の結果、入力された移譲コピー部数がコピー可能部数を超えているときは、図１２に示す警告メッセージ１２０１をＬＣＤパネル１００２に表示し（ステップＳ８０３）、ステップＳ８０１に戻る。
【００６２】
図８の処理によれば、ＲＦタグ制御部２００により、ＲＦタグ付き印刷用紙４００に埋め込まれたＲＦタグ３００にコピー許可総部数４１１に移譲コピー部数を設定してコピー許可情報４１０を書き込む（ステップＳ８０５）ので、印刷物のコピーを制限することができると共に、印刷物にコピー許可情報を付加することができる。
【００６３】
図９は、図５のコピー許可情報付加処理の変形例の手順を示すフローチャートである。
【００６４】
本処理は、スキャナ１０９により原稿から画像データを読み取り、読み取った画像データに基づいて印刷するときに、印刷物にコピー許可情報４１０を付加する処理である。
【００６５】
図９において、スキャナ１０９により原稿をスキャンして原稿から画像データを読み取り（ステップＳ９０１）、操作部１０６によりユーザが入力した印刷物に付加すべきコピー許可情報４１０を取得する（ステップＳ９０２）。印刷物に付加すべきコピー許可情報４１０は、図１５に示すコピー許可情報入力画面１５０１で入力される。
【００６６】
図１５において、ＬＣＤパネル１００２には、コピー許可総部数と、コピー禁止フラグとを含むコピー許可情報入力画面１５０１が表示されている。コピー許可総部数は、ユーザによりテンキー１００１を用いて入力される。コピー禁止フラグのオン／オフは、ユーザにより「オン」又は「オフ」を押下することにより入力される。
【００６７】
図９に戻り、印刷する用紙としてＲＦタグ付き印刷用紙４００を選択し（ステップＳ９０３）、ＲＦタグ制御部２００により、ＲＦタグ付き印刷用紙４００のＲＦタグ３００にステップＳ９０２で取得したコピー許可情報４１０を書き込み（ステップＳ９０４）、プリンタ１１０により、原稿から読み取った画像データに基づいてＲＦタグ付き印刷用紙４００に印刷し（ステップＳ９０５）、本処理を終了する。
【００６８】
図９の処理によれば、ＲＦタグ制御部２００により、ＲＦタグ付き印刷用紙４００のＲＦタグ３００にステップＳ９０２で取得したコピー許可情報４１０を書き込み（ステップＳ９０４）、プリンタ１１０により、原稿から読み取った画像データに基づいてＲＦタグ付き印刷用紙４００に印刷する（ステップＳ９０５）ので、印刷物にコピー許可情報を付加することができる。
【００６９】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００７０】
この場合、記憶媒体から読み出されたプログラムコード自体が前述した実施の形態の機能を実現することになり、そのプログラムコード及び該プログラムコードを記憶した記憶媒体は本発明を構成することになる。
【００７１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００７２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００７３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００７４】
【図１】本発明の実施の形態に係る印刷装置の構成を示すブロック図である。
【図２】図１におけるＲＦタグ制御部の構成を示すブロック図である。
【図３】図２のＲＦタグ制御部により制御されるＲＦタグの構成を示すブロック図である。
【図４】図３のＲＦタグが埋め込まれたＲＦタグ付き印刷用紙の構成を示す図である。
【図５】図１の印刷装置のＣＰＵによって実行されるコピー許可情報付加処理の手順を示すフローチャートである。
【図６】図１の印刷装置のＣＰＵによって実行されるコピー処理の手順を示すフローチャートである。
【図７】図６のコピー処理の変形例の手順を示すフローチャートである。
【図８】図６のコピー処理の他の変形例の手順を示すフローチャートである。
【図９】図５のコピー許可情報付加処理の変形例の手順を示すフローチャートである。
【図１０】図６のステップ６０５で用いられるコピー部数入力画面の一例を示す図である。
【図１１】図６のステップＳ６１６で表示される警告メッセージの一例を示す図である。
【図１２】図６のステップＳ６０７で表示される警告メッセージの一例を示す図である。
【図１３】図６のステップＳ７０１で表示される警告メッセージの一例を示す図である。
【図１４】図８のステップ８０１で用いられる移譲コピー部数入力画面の一例を示す図である。
【図１５】図９のステップ９０２で用いられるコピー許可情報入力画面の一例を示す図である。
【符号の説明】
【００７５】
１００  印刷装置
１０１  コントローラ部
１０２  ＣＰＵ
１０３  ＲＯＭ
１０４  ＲＡＭ
１０９  スキャナ
１１０  プリンタ
【図１】
2006340109.tif 000003
【図２】
2006340109.tif 000004
【図３】
2006340109.tif 000005
【図４】
2006340109.tif 000006
【図５】
2006340109.tif 000007
【図６】
2006340109.tif 000008
【図７】
2006340109.tif 000009
【図８】
2006340109.tif 000010
【図９】
2006340109.tif 000011
【図１０】
2006340109.tif 000012
【図１１】
2006340109.tif 000013
【図１２】
2006340109.tif 000014
【図１３】
2006340109.tif 000015
【図１４】
2006340109.tif 000016
【図１５】
2006340109.tif 000017